(57)【特許請求の範囲】
【請求項１】
繊維補強されてない非フレキシブルな石こうボードの裏面側に、該石こうボードよりも高い比重で、弾性を有する遮音シートが備えられ、これら石こうボードと遮音シートとが遮音シートを内側にして千鳥桟パネルに取り付けられた遮音間仕切り壁の構造において、
前記石こうボードと前記遮音シートとが一体物として積層接合されてなることを特徴とする遮音間仕切り壁の構造。
【請求項２】
繊維補強されてない非フレキシブルな石こうボードの裏面側に、厚さ２．４ｍｍに対する面密度が５〜１０ｋｇ／ｍ2 の割合の所定の厚さの柔軟な遮音シートが備えられ、これら石こうボードと遮音シートとが遮音シートを内側にして千鳥桟パネルに取り付けられた遮音間仕切り壁の構造において、
前記石こうボードと前記遮音シートとが一体物として積層接合されてなることを特徴とする遮音間仕切り壁の構造。
【発明の詳細な説明】
【０００１】
【発明の属する技術分野】
本発明は、例えば、住宅等の建築物において間仕切壁などとして用いられる、遮音壁の構造に関する。
【０００２】
【従来の技術】
例えば、表面材として石こうボードを用いて構成された間仕切り壁が、防火性などだけでなく、遮音性にも優れているとして広く用いられている。
【０００３】
石こうボードは、その肉厚を大にすることによって、特に高周波数帯域における遮音性能を向上しうるが、その反面、石こうボードの肉厚増は、間仕切り壁の壁厚を大きくし、室内を狭くしてしまう弱点がある。また、低・中周波帯域での遮音性能は、高周波数帯域におけるほどの改善効果はみられない。
【０００４】
そこで、従来より、石こうボードを用いた間仕切り壁において、更に遮音シートを組込んだものが提供されている。例えば、図３に示すように、６４ｍｍ厚の木製の間仕切り千鳥桟パネル５２の一方の面に、１２．５ｍｍ厚の石こうボード５３をビス５６と接着剤を併用して取り付けると共に、千鳥桟パネル５２のもう一方の面に、厚さが２．４ｍｍで面密度７．２ｋｇ／ｍ2 の高面密度で弾性を有する柔軟な遮音シート５４をタッカー５８にて止め、更にそのその外側から１２．５ｍｍ厚の石こうボード５３を千鳥桟パネル５２に対しビス５６にて止めた構造の遮音間仕切り壁５１が提供されている。なお、５５はグラスウールで、２０ｋｇ／ｍ3 品によるもので、厚さは５０ｍｍである。
【０００５】
この遮音間仕切り壁５１では、遮音シート５４が、大きな面密度をもっていることによって遮音性能を向上させることができ、しかも、遮音シート５４は薄肉にして上記のように大きな面密度をもっているから、間仕切り壁の壁厚を大きくしてしまうこともない。
【０００６】
【発明が解決しようとする課題】
ところで、石こうボード５３には、よく知られているように、その物性に起因して、高周波数帯域における遮音性能の落ち込みの問題がある。そのため、遮音シート５４を用いて、低・中周波帯域での遮音性能を向上させ得たとしても、石こうボード５３による高周波帯域でのこの落ち込みが、全体としてみた場合の壁５１の遮音性能の評価を低いものにしてしまう。
【０００７】
本発明は、上記のような技術背景のもとで、高比重で弾性を有する遮音シートを用いて低・中周波帯域及び高周波帯域の遮音性能の向上を図りながら、石こう系ボード類の高周波数帯域における遮音性能の落ち込みの態様を改善し、全体としてみた場合の遮音性能の評価を上げることができ、しかも、これを、壁厚を厚くすることなく実現することができる、遮音壁の構造を提供することを課題とする。
【０００８】
【課題を解決するための手段】
上記課題において、本発明者らは、理論的考察と実験を積み重ねた結果、石こうボードと、高面密度で弾性を有する遮音シートとを一体物として積層接合することによって、石こうボードに、その肉厚を大にし重量を増加させたのと同じ制振効果が発現されることを見い出だし、本発明を完成させた。石こうボードと上記のような遮音シートとを一体物として積層接合することは、遮音シートが高面密度のものであるがゆえ、施工上の配慮が優先され、これまで、考えも及ばなかった画期的構成態様である。なお、従来は、上述したように、遮音シート５４を千鳥桟パネル５２にタッカー５８にて止め、その外側から石こうボード５３を千鳥桟パネル５２に対しビス５６にて止めた構造であるにすぎず、石こうボード５３と遮音シート５４とは一体物として積層接合されたものではない。
【０００９】
即ち、上記課題は、石こう系ボード類の裏面側に、該石こう系ボード類よりも高い比重で、弾性を有する遮音シートが備えられた遮音壁の構造において、
前記石こう系ボード類と前記遮音シートとが一体物として積層接合されてなることを特徴とする遮音壁の構造によって解決される。
【００１０】
この遮音壁構造では、高比重で弾性を有する遮音シートの採用により、遮音シートそのものの作用で遮音性能が向上されることはいうまでもない。これに加え、本発明では、石こう系ボード類とこの遮音シートとが一体物として積層接合されている。このことによって、石こう系ボード類に、その肉厚を大にし重量を増加させたのと同じ制振効果が発現され、これにより、石こう系ボード類の高周波数帯域における遮音性能の落ち込みの態様が改善され、全体としてみた場合の遮音性能の評価がランクアップされる。もちろん、石こう系ボード類の厚さを大きくしたものではないから、壁厚を厚くしてしまうこともない。
【００１１】
上記の遮音シートは、低・中周波帯域での良好な遮音性能を確保するため、その損失係数が０．２以上、好ましくは１．０以上に設計されるのがよい。なお、損失係数は、複素ヤング率：Ｅ＝Ｅ1 ＋ｊＥ2 におけるＥ2 ／Ｅ1 の値であることはいうまでもない。
【００１２】
また、遮音シートは、厚さ２．４ｍｍに対する面密度が５〜１０ｋｇ／ｍ2 の割合の所定の厚さのシートであるのが好ましい。この面密度が５ｋｇ／ｍ2 を下回って小さいと充分な遮音性能が得られにくくなる。また、１０ｋｇ／ｍ2 を上回って大きいと重量大で石こうボード類との一体化後の取扱いや遮音シートそのものの取扱いに支障を生じやすくなる。
【００１３】
なお、「厚さ２．４ｍｍに対する面密度が５〜１０ｋｇ／ｍ2 」の文言は、遮音シートの厚さが２．４ｍｍであることを限定しているものではなく、遮音シートの厚さを仮に２．４ｍｍに設計した場合の面密度が５〜１０ｋｇ／ｍ2 であるということを表しているものであって、遮音シートは、その厚さが２．４ｍｍ以上のものであってもよいし、２．４ｍｍ以下のものであってもよい。また、本発明において、「石こう系ボード類」の語は、石こうボードの他、石こう系ボードとして分類される中に含まれる各種ボードを含むのはもとより、石こう系ボード以外のものであっても、その物性に起因して高周波数帯域における遮音性能の落ち込みを生じるような各種ボードをも含む概念であることはいうまでもない。
【００１４】
【発明の実施の形態】
次に、本発明を住宅等において用いられる間仕切り壁に適用した場合の実施形態について図面に基づいて説明する。
【００１５】
図１に示す間仕切り壁１では、千鳥桟パネル２、石こうボード３，３、遮音シート４及びグラスウール５について、従来と同じ物が用いられている。即ち、千鳥桟パネル２の厚さは６４ｍｍであり、石こうボード３，３の各板厚は１２．５ｍｍであり、グラスウール５については２０ｋｇ／ｍ3 品で、厚さは５０ｍｍである。遮音シート４は、厚さが２．４ｍｍで面密度７．２ｋｇ／ｍ2 の、弾性を有する柔軟なシートによる。なお、遮音シート４の原材料についての具体例は、図３に示す従来のものも同様であるが、例えば、アスファルトによるれき青質に酸化鉄粉末がフィラーとして充填され、更に、ＳＢＳによるゴムと、石油樹脂による樹脂とを含ませたもので、表面にはポリエステル不織布が設けられている。また、一方の石こうボード３については、従来と同様に、ビス６にて千鳥桟パネル２の面に取り付けられている。
【００１６】
そして、もう一方の石こうボード３と遮音シート４とは、接着剤７あるいは図示しないが両面テープなどによって積層接合され、一体物として構成されている。接合は、接着剤７による場合は、例えば、石こうボード３を平置きし、その上面に、木工用ボンドを全面塗布し、そこに遮音シート４を重ね合わせて接着することによって行うことができる。この接着作業は、工場にて行われてもよいし、建築現場にて行われてもよい。また、両面テープによる場合は、可及的広面積の両面テープを用い、これを遮音シート又は石こうボードに貼着し、そして遮音シートと石こうボードとを貼り合わせるというようにして行うことができる。この場合、両面テープの貼付けを予め工場等にて行っておき、建築現場では遮音シートと石こうボードとの貼り合わせのみを行うというようにして工事を行ってもよいし、遮音シートと石こうボードとの貼り合わせも含むすべてを工場にて行うようにしてもよい。
【００１７】
上記のようにして一体物として積層接合された石こうボード３と遮音シート４は、遮音シート４を内側にして千鳥桟パネル２に対しビス６にて取り付けられる。以上のようにして遮音間仕切り壁１が形成されている。
【００１８】
上述した本発明の遮音間仕切り壁１と、図３に示す従来の遮音間仕切り壁５１とについて、面積８．８４０ｍ2 の実施例試料と比較例試料とを用意し、乾球温度１４℃、相対湿度３２．７％の環境条件下で音響透過損失試験を行った。その結果を図２に示す。同図において、白丸は比較例の結果であり、黒丸は実施例の結果である。
【００１９】
この結果より、実施例は、低・中周波帯域において、比較例と同等の高い遮音性能を発揮し得るのがわかる。そして、遮音性能の落ち込みを生じる高周波帯域では、実施例、比較例ともに落ち込みはみられるが、実施例の場合、その落ち込み部分の音響透過損失は比較例のそれに比べ高い値を示し、高周波帯域での遮音性能が改善されたのがわかる。
【００２０】
因みに、同図において、Ｄ−３５，Ｄ−４０で示す点線ラインは、壁の遮音性能の評価を表すものである。比較例では、低・中周波帯域においてＤ−４０のレベルであるにもかかわらず、高周波帯域における遮音性能の落ち込みがあるために、全体としてＤ−３５のラインの評価しか得ることができない。これに対し、実施例では、低・中周波帯域において比較例と同等のＤ−４０の高レベルの遮音性能を発揮しうると共に、高周波帯域における遮音性能の落ち込みのレベルがＤ−４０のラインを上回り、その結果、全体としてＤ−４０のラインの評価を得ることができる。
【００２１】
なお、上記実施形態では、本発明を間仕切り壁に適用した場合について説明しているが、その他の壁に適用されてもよい。また、遮音シートについても、上記形態のものに限られるものではなく、石こう系ボード類よりも高い比重で弾性を有する各種の遮音シートが用いられてよい。また、石こう系ボード類と前記遮音シートとの接合も、接着剤や両面テープに限られるものではない。石こう系ボード類と前記遮音シートとが一体物として積層接合されたものであればよい。
【００２２】
【発明の効果】
上述の次第で、本発明の遮音壁の構造は、石こう系ボード類の裏面側に、該石こう系ボード類よりも高い比重で、弾性を有する遮音シートが備えられた遮音壁の構造において、石こう系ボード類と遮音シートとが一体物として積層接合されたものであるから、遮音シートそのものによる低・中周波帯域及び高周波帯域での遮音性能の向上はもとより、石こう系ボード類に、その肉厚を大にし重量を増加させたのと同じ制振効果を発現させることができて、石こう系ボード類の高周波数帯域における遮音性能の落ち込みの態様を改善しえて、全体としてみた場合の遮音性能の評価を上げることができる。しかも、これを、壁厚を厚くすることなく実現できる。
【図面の簡単な説明】
【図１】実施形態にかかる遮音壁を示すもので、図（イ）は断面図、図（ロ）は拡大断面図である。
【図２】音響透過損失試験の試験結果を示すグラフ図である。
【図３】従来の遮音壁を示すもので、図（イ）は断面図、図（ロ）は拡大断面図である。
【符号の説明】
１…遮音間仕切り壁
３…石こうボード（石こう系ボード類）
４…遮音シート
７…接着剤
【図１】
0003964532.tif 000002
【図２】
0003964532.tif 000003
【図３】
0003964532.tif 000004